(57)【要約】【課題】バンドの係止及び解除とバンドの長さ調整とが可能であるとともに、バンドの係止及び解除の際に意図せずバンドの長さが変更されるのを防ぐことができる中留及び時計を提供する。【解決手段】プッシュボタン７４が付勢状態のときに時計バンドの取り外しができないバンド係止状態となり、プッシュボタン７４が押込状態のときに時計バンドの取り外しが可能な解除状態となるプッシュユニット７と、プッシュボタン７４を押し込むことができない第１位置と、プッシュボタン７４を完全に押し込むことのできる第２位置とを取り得る移動体９１と、複数の係止凹部８２３と、これら係止凹部８２３のいずれかに係止される係止凸部とを備え、移動体９１が第２位置にあるときに、係止凸部と係止凹部８２３との係止状態が解除されて、係止凸部及び係止凹部８２３のいずれか一方が他方に対して相対的に移動可能となる。【選択図】図３
2020179245.tif 000002
【特許請求の範囲】
【請求項１】
機器ケースの一端側に取り付けられた第１のバンドと他端側に取り付けられた第２のバンドとを連結させるバンドの中留であって、
前記バンドの延在方向に沿って配置された複数の係止凹部と、
前記係止凹部のうちのいずれかに係止される係止凸部を有し前記バンドの幅方向の外側に向けて付勢されている一対のプッシュボタンを備え、前記プッシュボタンが付勢状態のときに前記係止凸部が前記係止凹部のうちのいずれかに係止されて前記バンドの取り外しができないバンド係止状態となり、前記プッシュボタンが付勢状態に抗して押し込まれた押込状態のときに前記係止凸部が前記係止凹部のいずれかに係止された状態が解除されて前記バンドの取り外しが可能な解除状態となるプッシュユニットと、
前記プッシュボタンを押し込むことができない第１位置と、前記プッシュボタンを完全に押し込むことのできる第２位置とをとり得て、前記プッシュボタンの押し込み量を規制する移動体と、
を備え、
前記移動体が第２位置をとるときに、前記係止凸部及び前記係止凹部のいずれか一方が他方に対して相対的にバンドの延在方向に沿って移動可能となるように構成されていることを特徴とする中留。
【請求項２】
前記移動体は、前記プッシュボタンを前記第２位置よりも手前まで押し込むことのできる第３位置をさらに取り得るようになっており、
前記第３位置にあるときには、前記プッシュユニットは前記バンドの取り外しが可能な解除状態となり、前記係止凸部は前記係止凹部のいずれかに係止された状態が維持されるように構成されていることを特徴とする請求項１に記載の中留。
【請求項３】
前記移動体は、
外部に露出して外側から操作可能なレバー部と、
前記レバー部の操作に応じて変位し、前記プッシュボタンの押し込み量を規制する突当部と、
を備えていることを特徴とする請求項１又は請求項２に記載の中留。
【請求項４】
請求項１から請求項３のいずれか一項に記載の中留を備える時計バンドと、
前記時計バンドが取り付けられる時計ケースと、
前記時計ケースの視認側に配置される表示部と、
を備えていることを特徴とする時計。
【発明の詳細な説明】
【技術分野】
【０００１】
本発明は、中留及び時計に関するものである。
【背景技術】
【０００２】
従来、腕時計等の機器ケースに取り付けられたバンドを連結させる中留として、プッシュボタンを有するプッシュユニットを備え、プッシュボタンの操作によって中留の締結・解除を行う三つ折れ方式等の折り畳み型の中留が知られている。
【０００３】
このような折り畳み型の中留において、中留を締結（錠止）した状態に保持する手段が、バンドの長さを調整する手段を兼ねる構成としたものも知られており、例えば、特許文献１には、初期位置に位置するプッシュボタンを支持部材の側壁まで押し込むと錠止部材とプッシュボタンとの係合が解除されて中留が開錠され、プッシュボタンをさらに上部切欠きの内部まで押し込むと、バンドの長さを調整するための移動部材とプッシュボタンとの係合が解除されてバンドの長さ調整が可能となる構成が開示されている。
【先行技術文献】
【特許文献】
【０００４】
【特許文献１】特開２００５−２７０２４８号公報
【発明の概要】
【発明が解決しようとする課題】
【０００５】
しかしながら、ユーザがプッシュボタンの可動範囲を完全に把握することは難しい。このため、特許文献１に記載されているように、ユーザが自らの力の入れ加減によってプッシュボタンの押し込み量を調整し、これによって中留の開閉とバンドの長さ調整の機能とを分ける構成とした場合、ユーザがプッシュボタンを押し込みすぎることにより、中留を開く際にバンドの長さが意図せず変更されてしまう場合が生じるとの問題があった。
【０００６】
本発明は以上のような事情に鑑みてなされたものであり、バンドの係止及び解除とバンドの長さ調整とが可能であるとともに、バンドの係止及び解除の際に意図せずバンドの長さが変更されるのを防ぐことができる中留及び時計を提供することを目的とするものである。
【課題を解決するための手段】
【０００７】
前記課題を解決するために、本発明に係る中留は、
機器ケースの一端側に取り付けられた第１のバンドと他端側に取り付けられた第２のバンドとを連結させるバンドの中留であって、
前記バンドの延在方向に沿って配置された複数の係止凹部と、
前記係止凹部のうちのいずれかに係止される係止凸部を有し前記バンドの幅方向の外側に向けて付勢されている一対のプッシュボタンを備え、前記プッシュボタンが付勢状態のときに前記係止凸部が前記係止凹部のうちのいずれかに係止されて前記バンドの取り外しができないバンド係止状態となり、前記プッシュボタンが付勢状態に抗して押し込まれた押込状態のときに前記係止凸部が前記係止凹部のいずれかに係止された状態が解除されて前記バンドの取り外しが可能な解除状態となるプッシュユニットと、
前記プッシュボタンを押し込むことができない第１位置と、前記プッシュボタンを完全に押し込むことのできる第２位置とをとり得て、前記プッシュボタンの押し込み量を規制する移動体と、
を備え、
前記移動体が第２位置をとるときに、前記係止凸部及び前記係止凹部のいずれか一方が他方に対して相対的にバンドの延在方向に沿って移動可能となるように構成されていることを特徴としている。
【発明の効果】
【０００８】
本発明によれば、中留においてバンドの係止及び解除とバンドの長さ調整とが可能であるとともに、バンドの係止及び解除の際に意図せずバンドの長さが変更されるのを防ぐことができるという効果を奏する。
【図面の簡単な説明】
【０００９】
【図１】本実施形態における中留が適用されたバンドを備える腕時計の斜視図である。
【図２】本実施形態における中留部分の拡大図である。
【図３】本実施形態における中留の一部部材を透過させて内部構成を示した斜視図である。
【図４】本実施形態における中留の分解斜視図である。
【図５】第１の実施形態の中留がロック解除状態にある場合を示す図であり、（ａ）は、中留の上面図であり、（ｂ）は、中留の内部構成を示す斜視図であり、（ｃ）は、カバー部材を外しスライド枠体を断面にした状態を示す上面図であり、（ｄ）は、（ｃ）に示す中留のプッシュボタンを矢印で示す方向に押し込んだ状態を示す上面図である。
【図６】第１の実施形態の中留がロック状態にある場合を示す図であり、（ａ）は、中留の上面図であり、（ｂ）は、カバー部材を外しスライド枠体を断面にした状態を示す上面図であり、（ｃ）は、中留の内部構成を示す斜視図である。
【図７】第２の実施形態の中留がロック状態にある場合を示す図であり、（ａ）は、中留の上面図であり、（ｂ）は、カバー部材を外しスライド枠体を断面にした状態を示す上面図であり、（ｃ）は、中留の内部構成を示す斜視図である。
【図８】第２の実施形態の中留が着脱可能状態にある場合を示す図であり、（ａ）は、中留の上面図であり、（ｂ）は、カバー部材を外しスライド枠体を断面にした状態を示す上面図であり、（ｃ）は、（ｂ）に示す中留のプッシュボタンを矢印で示す方向に押し込んだ状態を示す上面図であり、（ｄ）は、（ｃ）の状態にある中留の内部構成を示す斜視図であり、（ｅ）は、（ｄ）に示す状態における係止凸部と第２の突き当て部との位置関係を示す模式的要部側面図である。
【図９】第２の実施形態の中留がロック解除状態にある場合を示す図であり、（ａ）は、中留の上面図であり、（ｂ）は、カバー部材を外しスライド枠体を断面にした状態を示す上面図であり、（ｃ）は、（ｂ）に示す中留のプッシュボタンを矢印で示す方向に押し込んだ状態を示す上面図であり、（ｄ）は、（ｃ）の状態にある中留の内部構成を示す斜視図であり、（ｅ）は、（ｄ）に示す状態における係止凸部と第２の突き当て部との位置関係を示す模式的要部側面図である。
【発明を実施するための形態】
【００１０】
以下、図面を参照しつつ、本発明に係る中留及びこの中留を有するバンドを備える時計（本実施形態では腕時計）の実施形態について説明する。
なお、以下に述べる実施形態では中留を有するバンドが時計のモジュール等を収納する腕時計の時計ケースに取り付けられる時計バンドである場合を例として説明する。また、以下の実施形態には、本発明を実施するために技術的に好ましい種々の限定が付されているが、本発明の範囲を以下の実施形態及び図示例に限定するものではない。
【００１１】
［第１の実施形態］
まず、図１から図６を参照しつつ、本発明に係る中留及びこの中留を有するバンドを備える時計（腕時計）の第１の実施形態について説明する。
【００１２】
図１は、本実施形態における中留が適用された時計バンドを備える腕時計の斜視図である。
図１に示すように、腕時計１００は、後述する中留１０を備える時計バンド１と、この時計バンド１が取り付けられる機器ケースである時計ケース２と、時計ケース２の視認側（腕時計１００の表面側）に配置される表示部３と、を備えている。表示部３は、時計ケース２内に収納される図示しないモジュールにより動作するようになっている。
なお、図１では、腕時計１００が、指針３１や文字板３２等を備えるアナログ方式の表示部３を備えている場合を例示しているが、腕時計１００に設けられる表示部３はこれに限定されず、例えば液晶パネル等で構成されるデジタル方式の表示部や、アナログ方式、デジタル方式の両方を備える表示部であってもよい。
【００１３】
時計バンド１は、第１のバンド１ａと第２のバンド１ｂとを備え、第１のバンド１ａと第２のバンド１ｂとは、中留１０によって連結されている。
本実施形態では、時計ケース２の一端側である時計の６時側にバンド取付部２１ａが設けられており、このバンド取付部２１ａに第１のバンド１ａが取り付けられている。
また、時計ケース２の他端側である時計の１２時側にバンド取付部２１ｂが設けられており、このバンド取付部２１ｂに第２のバンド１ｂが取り付けられている。
【００１４】
図１に示すように、第２のバンド１ｂはバンド接続部材１２を介して中留１０と接続されている。後述するように、本実施形態では中留１０のロックが解除された状態において時計バンド１の延在方向に沿って移動可能なスライド枠体８とバンド接続部材１２とが連結されており、これにより時計バンド１は、第２のバンド１ｂ側の長さが微調整可能となっている。
バンド接続部材１２は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂で形成されている。なお、バンド接続部材１２を構成する材料はここに例示したものに限定されない。例えばチタニウムやステンレス鋼（ＳＵＳ）、アルミニウム等の金属や、セラミック等によってバンド接続部材１２を形成してもよい。バンド接続部材１２は、駒体１１、中留１０のカバー部材６等と同じ材料で形成されている方が時計バンド１の外観に優れ、好ましい。
なお、バンド接続部材１２を設けることは必須ではなく、時計バンド１の端部に位置する駒体１１が直接中留１０のスライド枠体８と接続される構成としてもよい。
【００１５】
本実施形態において、時計バンド１（第１のバンド１ａ及び第２のバンド１ｂ）は、複数の駒体１１が連結されることにより構成されている。
時計バンド１を構成する駒体１１は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂で形成されている。
なお、駒体１１を構成する材料はここに例示したものに限定されない。例えばチタニウムやステンレス鋼（ＳＵＳ）、アルミニウム等の金属や、セラミック等によって駒体１１を形成してもよい。
【００１６】
中留１０は、プッシュユニット７、押込調整部材９、係止凹部８２３及び係止凸部７５等を備えている。このうち係止凹部８２３は後述するスライド枠体８に設けられており、係止凸部７５はプッシュユニット７に設けられている。
図２は、本実施形態における中留部分を拡大した斜視図であり、図３は、中留部分の一部を透過させて内部構造を示した斜視図であり、図４は、中留の分解斜視図である。
図２から図４に示すように、本実施形態における中留１０は、係止凸部７５を有するプッシュユニット７、押込調整部材９及び係止凹部８２３を有するスライド枠体８の他、下板４、中板５及びカバー部材６を有する三つ折れ方式のバンドの中留である。
【００１７】
下板４は、例えばステンレス鋼（ＳＵＳ）等の金属材料で形成された長尺な板状の部材であり、平板状の部分である下板本体４１を有している。
本実施形態では、図１等に示すように、下板本体４１は、時計バンド１を腕に装着した際に腕の形状に沿うように、長手方向においてわずかに湾曲している。
また、後述するように、下板本体４１は、枠状に形成されている中板５の切欠き部５１１よりも狭い幅に形成されており、中留１０の折り畳み状態（三つ折れ状態）において、下板本体４１が切欠き部５１１内に嵌め込まれるようになっている。
【００１８】
図１及び図４に示すように、この下板本体４１の一端側には、下板４を第１のバンド１ａの自由端側と連結させるための第１のバンド連結部４２が設けられている。第１のバンド連結部４２は、下板本体４１の外側面（すなわち、腕時計１００を腕に嵌めた際に外側となる面、図２において上側の面）から上方に立ち上がるように形成された立設部である。
駒体１１には、駒体１１の幅方向（すなわち、時計バンド１の幅方向）に貫通する連結用の軸孔１１１が形成されており、第１のバンド連結部４２には、この駒体１１の連結用の軸孔１１１に対応する位置に連結軸（図示せず）を挿通させる貫通孔４２１が形成されている。
本実施形態では、第１のバンド１ａの自由端側に設けられた駒体１１に形成されている軸孔１１１と、第１のバンド連結部４２の貫通孔４２１とに連結軸を挿通させることにより、この連結軸等を介して下板４の一端側が第１のバンド１ａの自由端側に回動自在に取り付けられる。
なお、第１のバンド連結部４２は、第１のバンド１ａを下板４に回動自在に連結可能なものであればよく、その構成は図示例に限定されない。
【００１９】
下板本体４１の他端側には、下板４に中板５を連結させるための中板連結部４３が設けられている。
中板連結部４３には、下板本体４１の幅方向（時計バンド１の幅方向）に貫通する図示しない貫通孔が形成されている。
中板５は、中板連結部４３の貫通孔と中板５の下板連結部５２に形成されている図示しない貫通孔との位置を合わせた上でこの貫通孔に軸部材４３１を挿通させることにより、下板４に回動自在に取り付けられる。
なお、中板連結部４３は、中板５を下板４に回動自在に連結可能なものであればよく、その構成は図示例に限定されない。
【００２０】
また、下板４における下板本体４１の外側面（すなわち、腕時計１００を腕に嵌めた際に外側となる面、図２において上側の面）には、係止用突起４４が設けられている。
本実施形態では、係止用突起４４は、下板本体４１上の第１のバンド連結部４２の近傍であって、時計バンド１の幅方向のほぼ中央部に配置されている。
図４に示すように、本実施形態において、係止用突起４４は、下板本体４１の上に立設された軸部４４１と当該軸部４４１の先端に設けられ当該軸部４４１の径よりも径が大きく形成された係止部４４２からなり、外形形状がほぼきのこ状に形成されたロックピンである。本実施形態において、係止部４４２は、下方に向かって徐々に径が大きくなり、側面視において傘状に広がった形状となっている。
なお、係止用突起４４の形状や配置等は図示例に限定されない。
係止用突起４４は、下板本体４１に一体的に形成されていてもよいし、別部材として形成したものを下板本体４１に固定してもよい。係止用突起４４は、中留１０部分を繰り返し操作することによる磨耗に耐え得るように剛性に優れた材料で形成されている。
【００２１】
中板５は、例えばステンレス鋼（ＳＵＳ）等の金属材料で形成された長尺な部材であり、長手方向に沿って表裏に貫通する切欠き部５１１が形成された枠状の部分である中板本体５１を有している。
前述のように、切欠き部５１１の幅は、下板４の下板本体４１の幅よりも大きく形成されており、中留１０の折り畳み状態（三つ折れ状態）において、下板本体４１は切欠き部５１１内に嵌め込まれ、図４に示すように、下板４と中板５とがほぼ面一となるようになっている。また、このように下板本体４１が切欠き部５１１内に嵌め込まれた状態において、係止用突起４４は、中板５の切欠き部５１１から中板本体５１の上方に突出する。
【００２２】
図１及び図４に示すように、この中板本体５１の一端側には、中板５を下板４と連結させるための下板連結部５２が設けられている。下板連結部５２には、中板本体５１の幅方向（時計バンド１の幅方向）に貫通する図示しない貫通孔が形成されている。
中板５は、下板連結部５２の貫通孔と下板４の中板連結部４３に形成されている貫通孔との位置を合わせた上でこの貫通孔に軸部材４３１を挿通させることにより、下板４に回動自在に取り付けられる。
なお、下板連結部５２は、中板５を下板４に回動自在に連結可能なものであればよく、その構成は図示例に限定されない。
【００２３】
中板本体５１の他端側には、カバー部材６等に中板５を連結させるための連結部５３が設けられている。
連結部５３は、中板本体５１の外側面（すなわち、腕時計１００を腕に嵌めた際に外側となる面、図２において上側の面）から上方に立ち上がるように形成された立設部である。
後述するように、カバー部材６には連結用の係止孔６５ａ，６５ｂが設けられており、連結部５３には、このうち第１のバンド１ａとの接続側に位置する係止孔６５ｂに対応する位置に図示しない連結軸を挿通させる貫通孔５３１が形成されている。
本実施形態では、連結部５３の貫通孔５３１とカバー部材６の係止孔６５ｂとに図示しない連結軸を挿通させることで、中板５がカバー部材６及び連結軸を介してそれぞれ回動自在に連結されるようになっている。
なお、連結部５３は、中板５をカバー部材に対して回動自在に連結可能なものであればよく、その構成は図示例に限定されない。
【００２４】
図４に示すように、プッシュユニット７は、一対のプッシュボタン７４と、プッシュボタン７４の動作に応じて開閉する開閉部７３とを有している。
プッシュボタン７４は、開閉部７３よりも厚み（時計バンド１の厚み方向の厚み）があり、開閉部７３より上方向（図３及び図４において上方向）に多少高く突出している。
プッシュボタン７４は、外部から力が加えられない初期状態において、図示しないばね等の付勢部材によって時計バンド１の幅方向の外側に向けて付勢された状態となっている。
開閉部７３は、中留１０の折り畳み状態（三つ折れ状態）において、下板４の係止用突起４４に対応する位置に設けられた窓部であり、プッシュボタン７４が付勢状態であるときに閉状態となる。また、プッシュボタン７４が付勢状態に抗して時計バンド１の幅方向の内側に向けて押し込まれた押込状態となったときに開状態となるように構成されている。
【００２５】
ここでプッシュユニット７の具体的な動作を説明すると、プッシュボタン７４を時計バンド１の幅方向の内側に押し込むと開閉部７３が開状態となり、係止用突起４４の係止部４４２を開閉部７３の開口内に受け入れることが可能となる。そして、係止部４４２を開閉部７３内に受け入れた状態でプッシュボタン７４から手を放すと図示しないばねの復元力等によってもとの付勢状態となり、開閉部７３が閉じて係止用突起４４の係止部４４２を挟み込むように係止する。これにより、プッシュユニット７は係止用突起４４に係止される。このようにプッシュユニット７は、プッシュボタン７４が付勢状態であるときには時計バンド１の取り外しができないバンド係止状態となる。
そして再度プッシュボタン７４をその付勢状態に抗して時計バンド１の幅方向の内側に押し込むことで開閉部７３が開口すると、係止用突起４４の係止状態が解除される。このようにプッシュユニット７は、プッシュボタン７４が押し込まれた押込状態のときに時計バンド１の取り外しが可能な解除状態となる。
【００２６】
また、一対のプッシュボタン７４には、それぞれ係止凸部７５が設けられている。
本実施形態では、係止凸部７５は、一対のプッシュボタン７４の上面（図２及び図４において上側の面）にそれぞれ配置されている。
係止凸部７５は、プッシュボタン７４の移動に応じて時計バンド１の幅方向に移動可能となっている。
具体的には、係止凸部７５は、プッシュボタン７４が付勢状態のときに時計バンド１の幅方向の外側位置に配置される。この外側位置において、係止凸部７５は後述するスライド枠体８に設けられている複数の係止凹部８２３のうちのいずれかに係止された状態となる。
また、係止凸部７５は、プッシュボタン７４が時計バンド１の幅方向の内側に押し込まれることで時計バンド１の幅方向の内側に移動する。係止凸部７５は時計バンド１の幅方向の内側に移動した状態において、係止凹部８２３のいずれかに係止された状態が解除される。この状態では、係止凸部７５及び係止凹部８２３のいずれか一方が他方に対して相対的に時計バンド１の延在方向に沿って移動可能となる。
【００２７】
なお、後述するように、プッシュユニット７は、一対のプッシュボタン７４がカバー部材６の一対の側壁部６１に形成された開口部６４に嵌め込まれるようになっている。
プッシュボタン７４は、時計バンド１の幅方向の内側に向けて押し込まれた押込状態となったときでも少なくともその外側端部が開口部６４に嵌め込まれた状態を維持し、開口部６４から抜け落ちないようになっている。
【００２８】
カバー部材６は、中留１０の折り畳み時（すなわち、中留１０による第１のバンド１ａと第２のバンド１ｂとの連結時）において下板４及び中板５の外側面の上に重なり合うように配置されるものであり、中留１０の外観部分を構成する。
カバー部材６は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂で形成されている。なお、カバー部材６を構成する材料はここに例示したものに限定されない。例えばチタニウムやステンレス鋼（ＳＵＳ）、アルミニウム等の金属や、セラミック等によってカバー部材６を形成してもよい。
【００２９】
カバー部材６は、カバー部材６の外装面を構成する長尺な平板状の部である表板部６０と、この表板部６０の両側部に垂設される一対の側壁部６１とを有している。
図２等に示すように、表板部６０には、後述の押込調整部材９のレバー部９１１を露出させる窓部６２が形成されている。
窓部６２の大きさは特に限定されないが、レバー部９１１が窓部６２内を円滑に移動可能な幅（時計バンド１の幅方向の長さ）を有している。また、本実施形態では、レバー部９１１は、中留１０がロック状態にある場合とロック解除状態にある場合とで時計バンド１の延在方向に沿って異なる２段階の位置を取り得るようになっている。このため、窓部６２の時計バンド１の延在方向における長さはレバー部９１１における時計バンド１の延在方向の長さの２つ分程度の長さを有し、外側から窓部６２内のレバー部９１１の位置を見るだけで中留１０がロック状態にあるのか、ロック解除状態にあるのかが確認できるようになっていることが好ましい。
【００３０】
カバー部材６の一対の側壁部６１には、プッシュユニット７のプッシュボタン７４が嵌め込まれる開口部６４が形成されている。
プッシュユニット７は、プッシュボタン７４が開口部６４に嵌め込まれることにより、カバー部材６内の所定位置に保持され、抜け落ちないようになっている。
また、一対の側壁部６１には、開口部６４を挟んで時計バンド１の延在方向にそれぞれ２つずつ軸を係止する係止孔６５ａ，６５ｂが形成されている。係止孔６５ａ，６５ｂは後述するガイド枠体９２の脚部９２５に形成された軸孔９２６ａ，９２６ｂに対応する位置にそれぞれ配置されている。
また、前述のように、第１のバンド１ａとの接続側に配置された係止孔６５ｂはさらに中板５の連結部５３に形成されている貫通孔５３１の位置に対応しており、係止孔６５ａ、９２６ａ、貫通孔５３１に１つの連結軸が挿通されるようになっている。
【００３１】
本実施形態において、カバー部材６とプッシュユニット７との間には、スライド枠体８及び押込調整部材９が配置されている。
スライド枠体８は、例えばステンレス鋼（ＳＵＳ）、アルミニウム等の金属の板にプレス加工等を施すことによって形成されている。
図３及び図４に示すように、スライド枠体８は、時計バンド１の幅方向に延在しカバー部材６の内側に収まる長さに形成された架橋部８１と、この架橋部８１の両側部に垂設された一対の側壁部８２とを有している。
一対の側壁部８２における第２のバンド１ｂとの接続側端部には、第２のバンド１ｂと中留１０との間に介在するバンド接続部材１２をスライド枠体８に連結させる連結用の軸孔８２１がそれぞれ形成されている。
バンド接続部材１２の一端側には、駒体１１の幅方向（すなわち、時計バンド１の幅方向）に貫通する連結用の貫通孔１２１が形成されており、スライド枠体８の軸孔８２１は、このバンド接続部材１２の貫通孔１２１に対応する位置に配置されている。
バンド接続部材１２を、軸孔８２１と貫通孔１２１とが連通するように一対の側壁部８２の間に配置し、軸孔８２１と貫通孔１２１とに連結軸１３を挿通させることにより、この連結軸１３を介してスライド枠体８の一端側がバンド接続部材１２の一端側に回動自在に取り付けられる（図１及び図３参照）。
【００３２】
スライド枠体８の側壁部８２における軸孔８２１よりも第１のバンド１ａとの接続側寄りの部分には、長孔８２２が時計バンド１の延在方向に沿って形成されている。
スライド枠体８は、その一対の側壁部８２の間に押込調整部材９のガイド枠体９２を受け入れるようになっており、ガイド枠体９２をカバー部材６に係止する図示しない軸部材が時計バンド１の延在方向に長孔８２２を貫通する。
スライド枠体８とガイド枠体９２とは時計バンド１の延在方向に沿って相対的に移動可能となっており、長孔８２２は、ガイド枠体９２をカバー部材６に係止する軸部材がこの相対移動を阻害しない幅に形成されている。
【００３３】
長穴８２２における上側の端面（図３及び図４において上側の端面）には、時計バンド１の延在方向に沿って２つの係止凹部８２３が形成されている。なお、係止凹部８２３は時計バンド１の延在方向に沿って複数配置されていればよく、係止凹部８２３の数や形状はここに例示したものに限定されない。プッシュユニット７に設けられた係止凸部７５はいずれかの係止凹部８２３に係止されるようになっており、本実施形態では２つの係止凹部８２３のうちのいずれかに係止される。２つの係止凹部８２３の間は２，３ｍｍ程度間隔が離れており、係止凸部７５をいずれの係止凹部８２３に係止させるかにより当該間隔分だけ時計バンド１の長さを微調整することができる。  前述のように係止凸部７５は、プッシュユニット７のプッシュボタン７４の移動に伴っていずれかの係止凹部８２３に係止された状態から係止が解除された状態まで時計バンド１の幅方向に移動する。このとき、係止凸部７５が引っ掛からないように、係止凹部８２３は、係止凸部７５の高さ及び幅よりも大きな高さ及び幅に形成されている。
【００３４】
押込調整部材９は、レバー部９１１を有する移動体９１と、この移動体９１を時計バンド１の延在方向に移動可能に案内するガイド枠体９２とを備えている。
移動体９１は、平板状の本体部９１０と、この本体部９１０から突出したレバー部９１１とを有している。レバー部９１１は、前述のようにカバー部材６の窓部６２から外部に露出して、ユーザが外側から操作（本実施形態ではスライド操作）することができるようになっている。
本実施形態では、後述するように、窓部６２のうち、第２のバンド１ｂとの接続側（これを以下「第１側」という。）にレバー部９１１を移動させると（図６（ａ）参照）、プッシュボタン７４を押し込むことができない第１位置となり、その逆側（これを以下「第２側」という。）にレバー部９１１を移動させると（図５（ａ）参照）、プッシュボタン７４を完全に押し込むことのできる第２位置となるように、２段階の異なる位置を取り得るようになっている。
【００３５】
本体部９１０には、時計バンド１の幅方向両側にそれぞれ延出する張出部９１２が設けられている。
組み付け状態において、張出部９１２はガイド枠体９２のガイドレール９２１の下に配置されて、ガイドレール９２１に沿って摺動可能となっている。
この張出部９１２の一端部には、プッシュユニット７のプッシュボタン７４の内側面に突き当たる突当部９１３が形成されている。
突当部９１３は、レバー部９１１の操作に応じて移動し、プッシュボタン７４の押し込み量を規制するものである。
前述のように、プッシュボタン７４は開閉部７３よりも多少高さが高くなっており、移動体９１が第１位置に配置されたときには、突当部９１３がプッシュボタン７４の段差となった部分に突き当たることでプッシュボタン７４を時計バンド１の幅方向内側に押し込むことができないように構成されている。
【００３６】
ガイド枠体９２は、時計バンド１の延在方向に沿って延在する一対のガイドレール９２１と、時計バンド１の幅方向に延在し一対のガイドレール９２１同士を繋ぐ架橋部９２２と、架橋部９２２から時計バンド１の延在方向に沿って延出する支持舌片９２３とを有している。
一対のガイドレール９２１にはそれぞれ時計バンド１の厚み方向に垂設された２つの脚部９２５がそれぞれ設けられている。これら脚部９２５には、カバー部材６における係止孔６５ａ，６５ｂに対応する位置にそれぞれ軸孔９２６ａ，９２６ｂが形成されている。
係止孔６５ａ，６５ｂとこれに対応する軸孔９２６ａ，９２６ｂとにそれぞれ図示しない軸を挿通させることによって、ガイド枠体９２がカバー部材６に係止される。
【００３７】
支持舌片９２３は、ガイドレール９２１よりも一段下がった位置に配置されており、この支持舌片９２３とガイドレール９２１との間に移動体９１の本体部９１０が配置される。そして、移動体９１は、支持舌片９２３とガイドレール９２１との間を時計バンド１の延在方向に沿ってスライド移動可能に構成されている。
レバー部９１１が前述の第１側に来るように移動体９１を配置させると、突当部９１３がプッシュボタン７４と対向しない位置に配置され、プッシュボタン７４を時計バンド１の幅方向内側に完全に押し込むことができる（図５（ａ）〜図５（ｄ）参照）。
ここで「完全に押し込む」とは、プッシュユニット７の開閉部７３を開状態として、係止用突起４４の係止部４４２を受け入れることができるとともに、係止凸部７５が係止凹部８２３に係止された係止状態を解除して、係止凸部７５及び係止凹部８２３が相対移動可能となる位置までプッシュボタン７４を押し込むことができることを言う。
また、レバー部９１１が前述の第２側に来るように移動体９１を配置させると、突当部９１３がプッシュボタン７４の段差となった部分に突き当たって、プッシュボタン７４を時計バンド１の幅方向内側に押し込むことができなくなる（図６（ａ）〜図６（ｃ）参照）。
また、支持舌片９２３の自由端側には、上側（図４において上側）に盛り上がった隆起部９２４が形成されており、移動体９１は、レバー部９１１等を操作してスライド移動させる度にこの隆起部９２４を乗り越えることで、レバー部９１１が第１側、第２側のどちらに配置されているかを手に伝わる感覚で直感的に把握することができる。なお、レバー部９１１を操作するごとにクリック感を生じるように構成し、これによりユーザによる直感操作を可能としてもよい。
【００３８】
次に、図５（ａ）〜図５（ｄ）及び図６（ａ）〜図６（ｃ）を参照しつつ、本実施形態における中留１０及びこれを適用した腕時計１００の作用について説明する。
【００３９】
本実施形態において、時計バンド１は、時計ケース２のバンド取付部２１ａに第１のバンド１ａを取り付け、バンド取付部２１ｂに第２のバンド１ｂを取り付けて、第１のバンド１ａと第２のバンド１ｂの各自由端を繋ぐ位置に中留１０を取り付けることで構成される。
中留１０を時計バンド１に取り付ける際には、中留１０の下板４における第１のバンド連結部４２に第１のバンド１ａの自由端側を取り付ける。また、スライド枠体８の軸孔８２１とバンド接続部材１２の一端側に設けられた貫通孔１２１とが連通するようにバンド接続部材１２を配置して軸孔８２１と貫通孔１２１とに連結軸１３を挿通させ、スライド枠体８にバンド接続部材１２を取り付ける。さらに、バンド接続部材１２の他端側に第２のバンド１ｂの自由端側を取り付ける。
また、下板４の中板連結部４３と中板５の下板連結部５２とに軸部材４３１を挿通させて下板４に中板５を取り付ける。
【００４０】
さらに、カバー部材６の内側に、スライド枠体８、押込調整部材９、プッシュユニット７を組み込む。このとき、プッシュユニット７のプッシュボタン７４をカバー部材６の開口部６４に嵌め込む。これにより、プッシュユニット７がカバー部材６に固定される。
また、カバー部材６の係止孔６５ａとガイド枠体９２の軸孔９２６ａの位置を合わせるとともに、スライド枠体８の一対の側壁部８２に形成された一対の長孔８２２内に通すように軸部材を配置して係止孔６５ａ及び軸孔９２６ａに軸部材を挿通させ係止させる。
また、カバー部材６の係止孔６５ｂ、ガイド枠体９２の軸孔９２６ｂ及び中板５の連結部５３の貫通孔５３１の位置を合わせるとともに、スライド枠体８の長孔８２２内に通すように軸部材を配置して係止孔６５ｂ、軸孔９２６ｂ及び貫通孔５３１に軸部材を挿通させ係止させる。
これにより、中留１０の組み立てが完了する。なお、中留１０の組み立て手順は上記に限定されない。
【００４１】
本実施形態の中留１０を留める（連結する）際には、図５（ａ）に示すように、レバー部９１１を第２側に位置させる。これにより、移動体９１の突当部９１３がプッシュボタン７４に突き当たらない第２位置に移動体９１が配置される（図５（ｂ）及び図５（ｃ）参照）。
この状態において、下板４、中板５及びカバー部材６を三つ折れに折り畳み、プッシュユニット７のプッシュボタン７４を時計バンド１の幅方向内側に向かって押し込む（図５（ｄ）の矢印参照）。プッシュボタン７４を時計バンド１の幅方向内側に向かって完全に押し込むことにより、プッシュユニット７の開閉部７３が開状態となり、係止用突起４４の係止部４４２を受け入れることができる。また、この状態において係止凸部７５は、図５（ｄ）に示すように、側壁部８２よりも時計バンド１の幅方向内側に配置され、係止凹部８２３から外れた状態となる。このため、第２のバンド１ｂやこれが連結されているバンド接続部材１２をカバー部材６に対して押し込み又は引き出すことで、いずれか所望の係止凹部８２３に対応するように係止凸部７５の位置を調整することができる。
そして、ユーザがプッシュボタン７４から手を放すと開閉部７３が閉じて係止用突起４４の係止部４４２を開閉部７３内に挟み込んだ状態が維持されるとともに、係止凸部７５が所望の係止凹部８２３に係止された状態となり、時計バンド１の長さが係止凹部８２３の間隔分だけ変更（微調整）される。
そして、図６（ａ）に示すように、レバー部９１１を第１側に位置させると、移動体９１の突当部９１３がプッシュボタン７４に突き当たる第１位置に移動体９１が配置される（図６（ｂ）及び図６（ｃ）参照）。
この状態においては、プッシュボタン７４を時計バンド１の幅方向内側に向かって押し込むことができないロック状態となる。このため、時計バンド１の着脱及びバンド長の変更（微調整）がユーザの意図しないタイミングで行われることを防ぐことができる。
【００４２】
また、中留１０の連結を解除する場合には、再びレバー部９１１を第１側に位置させ（図５（ａ）参照）一対のプッシュボタン７４を時計バンド１の幅方向内側に向かって押し込む。これにより、係止用突起４４の係止状態が解除され、中留１０の連結を解除して時計バンド１を外すことができる状態となる。また、係止凸部７５の係止凹部８２３への係止状態も解除されるため（図５（ｄ）参照）、係止凸部７５係止させる係止凹部８２３を変えることにより、再度バンド長の微調整を行うことが可能となる。
【００４３】
以上のように、本実施形態によれば、中留１０に、プッシュボタン７４を備えるプッシュユニット７と、プッシュボタン７４を押し込むことができない第１位置とプッシュボタン７４を完全に押し込むことのできる第２位置とをとり得る移動体９１を有する押込調整部材９と、時計バンド１の延在方向に沿って配置された複数（本実施形態では２つ）の係止凹部８２３と、これら係止凹部８２３のうちのいずれかに係止される係止凸部７５とを備え、押込調整部材９の移動体９１が第２位置をとるときに、係止凸部７５が係止凹部８２３のいずれかに係止された状態が解除されて、係止凹部８２３が形成されているスライド枠体８が係止凸部７５に対して時計バンド１の延在方向に沿って移動できるように構成されている。
これにより、中留１０において時計バンド１の着脱とバンド長の変更（微調整）とを両方行うことのできる構成をとりつつ、意図せずに時計バンド１が外れたり、意図しないうちにバンド長が変更されたりすることを防止することができる。
そして、中留１０の連結状態を解除するか否か、バンド長の変更（微調整）を行うか否かは、ユーザの力加減等の不確かな基準によるのではなく、押込調整部材９の移動体９１を第１位置に配置するか第２位置に配置するかという物理的な配置の変更によって行われるため、より明確でありユーザにとって分かり易く操作することができる。
【００４４】
また、本実施形態では、移動体９１は、外部に露出して外側から操作可能なレバー部９１１と、レバー部９１１の操作に応じて移動し、プッシュボタン７４の押し込み量を規制する突当部９１３とを備えている。
これにより、移動体９１を第１位置に配置するか第２位置に配置するかという部材位置の変更は、ユーザが中留１０の外側からレバー部９１１を操作することで行うことができる。
このため、ユーザにとってより直感的で分かり易い操作により時計バンド１の着脱及びバンド長の変更（微調整）をするか否かの選択を行うことができる。
【００４５】
［第２の実施形態］
まず、図７（ａ）〜図７（ｃ）から図９（ａ）〜図９（ｅ）を参照しつつ、本発明に係る中留及びこの中留を有するバンドを備える時計（腕時計）の第２の実施形態について説明する。なお、本実施形態は、押込調整部材９の移動体９１の構成が第１の実施形態と異なるものであるため、以下においては、特に第１の実施形態と異なる点について説明する。
【００４６】
本実施形態の中留１０では、押込調整部材９の移動体９１は、プッシュユニット７のプッシュボタン７４を第２位置よりも手前まで押し込むことのできる第３位置をさらに取り得るようになっている。
そして、移動体９１がこの第３位置にあるときには、プッシュユニット７は時計バンド１の取り外しが可能な解除状態となり、係止凸部７５は係止凹部８２３のいずれかに係止された状態が維持されるように構成されている。
【００４７】
すなわち、本実施形態では、図８（ｂ）〜図８（ｅ）及び図９（ｂ）〜図９（ｅ）等に示すように、移動体９１の張出部９１４に第２の突当部９１４ａが設けられている。
第２の突当部９１４ａは、例えば張出部９１４の端部を下向き（図８（ｅ）及び図９（ｅ）において下向き、プッシュユニット７と対向する側）に折り曲げることで形成されている。
本実施形態では、張出部９１４はプッシュユニット７の係止凸部７５の高さよりも高い位置にあり、図９（ｄ）及び図９（ｅ）に示すように、係止凸部７５は張出部９１４の下を通ることができる。
これに対して、第２の突当部９１４ａが係止凸部７５に対応する位置に配置されるように移動体９１が配置されると、図８（ｄ）及び図８（ｅ）に示すように、プッシュボタン７４を時計バンド１の幅方向内側に押し込んだ際、第２の突当部９１４ａが係止凸部７５に突き当たり、それ以上プッシュボタン７４を押し込むことができない状態となる。
本実施形態において第３位置とは、このように第２の突当部９１４ａが係止凸部７５に対応するように移動体９１が配置される位置である。本実施形態では、図８（ａ）に示すように、レバー部９１１を窓部６２内の第１のバンド１ａとの接続側端部まで移動させたときに移動体９１が第３位置に配置されるようになっている。
【００４８】
なお、その他の構成は、第１の実施形態と同様であることから、同一部材には同一の符号を付して、その説明を省略する。
【００４９】
次に、図７（ａ）〜図７（ｃ）から図９（ａ）〜図９（ｅ）を参照しつつ、本実施形態における中留１０及びこれを適用した時計の作用について説明する。
なお、時計バンド１の時計ケース２への取付け及び中留１０の組み立ては、第１の実施形態と同様であるため、その説明を省略する。
【００５０】
本実施形態において、図７（ａ）に示すように、レバー部９１１を第２のバンド１ｂとの接続側である第１側（図７（ａ）において窓部６２内の下側）に位置させると、移動体９１の突当部９１３がプッシュボタン７４に突き当たる第１位置に移動体９１が配置される（図７（ｂ）及び図７（ｃ）参照）。
この状態のときには、第１の実施形態において第１位置に移動体９１が配置されている場合と同様に、プッシュボタン７４を時計バンド１の幅方向内側に押し込むことができず、中留１０の連結状態を解除（すなわち、時計バンド１を着脱）することも、時計バンド１のバンド長を変更（微調整）することもできない。
【００５１】
また、図８（ａ）に示すように、レバー部９１１を第１のバンド１ａとの接続側である第２側（図８（ａ）において窓部６２内の上側）に位置させると、押込調整部材９の突当部９１３はプッシュボタン７４に突き当たらないが、第２の突当部９１４ａは係止凸部７５に突き当たる位置（この位置を「第３位置」とする。）に移動体９１が配置される（図８（ｂ）及び図８（ｃ）参照）。この場合、プッシュボタン７４が押し込まれた際、係止凸部７５が第２の突当部９１４ａに突き当たるまではプッシュボタン７４を押し込むことができるため、プッシュユニット７の開閉部７３を開状態として、係止用突起４４の係止部４４２を受け入れることができる状態となる。他方、係止凸部７５は第２の突当部９１４ａに突き当たり、それ以上の押し込み動作を行うことができないため、係止凸部７５が係止凹部８２３に係止されている係止状態を解除することができない（図８（ｄ）及び図８（ｅ）参照）。
この状態のときには、中留１０の連結状態の解除（すなわち、時計バンド１の着脱）を行うことができるが、時計バンド１のバンド長の変更（微調整）は行うことができない。これにより、移動体９１を第３位置に配置してプッシュボタン７４を操作（すなわち押込み動作）すれば、時計バンド１のバンド長が変更されることなく、時計バンド１の着脱のみを確実に行うことができる。
【００５２】
これに対して、図９（ａ）に示すように、レバー部９１１を第１側と第２側のほぼ中間位置（すなわち、窓部６２における時計バンド１の延在方向のほぼ中央部）に位置させると、移動体９１の突当部９１３がプッシュボタン７４に突き当たらず、第２の突当部９１４ａも係止凸部７５に突き当たらない第２位置に移動体９１が配置される（図９（ｂ）及び図９（ｃ）参照）。この場合、プッシュボタン７４が押し込まれた際、係止凸部７５は張出部９１４の下を通るため、プッシュボタン７４の押し込み動作を阻害しない（図９（ｄ）及び図９（ｅ）参照）。
この状態のときには、第１の実施形態において第２位置に移動体９１が配置されている場合と同様に、プッシュボタン７４を時計バンド１の幅方向内側に完全に押し込むことができる。すなわち、この場合、プッシュユニット７の開閉部７３を開状態として、係止用突起４４の係止部４４２を受け入れることができるとともに、係止凸部７５が係止凹部８２３に係止されている係止状態を解除して、係止凸部７５及び係止凹部８２３が相対移動可能となる位置までプッシュボタン７４を押し込むことができ、中留１０の連結状態の解除（すなわち、時計バンド１の着脱）、及び時計バンド１のバンド長の変更（微調整）のいずれも行うことができる。
【００５３】
なお、その他の点については、第１の実施形態と同様であることから、その説明を省略する。
【００５４】
以上のように、本実施形態によれば、第１の実施形態と同様の効果を得られる他、以下の効果を得ることができる。
すなわち、本実施形態では、押込調整部材９の移動体９１は、プッシュボタン７４を第２位置よりも手前まで押し込むことのできる第３位置をさらに取り得るようになっており、移動体９１がこの第３位置にあるときには、プッシュユニット７は時計バンド１の取り外しが可能な解除状態となるが、係止凸部７５は係止凹部８２３のいずれかに係止された状態が維持されるように構成されている。
これにより、ユーザは、中留１０の連結状態の解除（すなわち、時計バンド１の着脱）、及び時計バンド１のバンド長の変更（微調整）のいずれも行うことができない完全なロック状態と中留１０の連結状態の解除及び時計バンド１のバンド長の変更（微調整）のいずれも行うことができる全面解除状態の他に、中留１０の連結状態の解除のみを行うことのできる状態を選択することができ、意図せずバンド長が変更されるリスクのない状態で時計バンド１の着脱を行うことができる。
【００５５】
なお、以上本発明の実施形態について説明したが、本発明は、かかる実施形態に限定されず、その要旨を逸脱しない範囲で、種々変形が可能であることは言うまでもない。
【００５６】
例えば、上記各実施形態では係止凸部７５が係止される係止凹部８２３が２，３ｍｍ間隔をあけて２つ設けられている例を示したが、係止凹部８２３の数及びその間隔はここに示した例に限定されない。
例えば、これよりも狭い間隔で３つ以上の係止凹部８２３を設けてもよい。このようにすることで、より細かくバンド長の変更（微調整）を行うことが可能となる。
【００５７】
また、上記各実施形態では、１つの係止凸部７５に対して時計バンド１の延在方向に複数の係止凹部８２３が配置されている場合を例示したが、バンド長の変更（微調整）を行うための構成はこれに限定されない。
例えば、１つの係止凹部に対して時計バンド１の延在方向に複数の係止凸部を配置して、係止凹部にいずれかの係止凸部が係止されるようにしてもよい。
【００５８】
また、上記各実施形態では、係止凸部７５が中留１０に固定的に設けられたプッシュユニット７に設けられ、係止凹部８２３がプッシュユニット７に対して相対的に移動するスライド枠体８に設けられている場合を例示したが、係止凸部と係止凹部とは相対的に移動可能に構成されていればよく、ここに示した構成に限定されない。
例えば、係止凹部がプッシュユニット７に設けられ、係止凸部がプッシュユニット７に対して相対的に移動するスライド枠体８に設けられていてもよい。
【００５９】
また、第２の実施形態では、レバー部９１１を図７（ａ）に示す下側に配置したとき移動体９１が第１位置となって中留１０が着脱も長さ調整もできない完全ロック状態となり、レバー部９１１を図９（ａ）に示す上下方向のほぼ中央に配置したとき移動体９１が第２位置となって中留１０が着脱も長さ調整もできる完全解除状態となり、レバー部９１１を図８（ａ）に示す上側に配置したとき移動体９１が第３位置となって中留１０が着脱はできるが長さ調整はできない状態となる場合を例示したが、レバー部９１１の位置と中留１０の状態との対応はここに例示したものに限定されない。
例えば、移動体の突当部９１３、第２の突当部９１４ａの配置や形状を変えることでレバー部９１１の位置との対応関係を変えることも可能である。
【００６０】
また、上記各実施形態では、中留１０が腕時計１００の時計バンド１に設けられている場合を例示したが、本発明の中留を適用可能なバンドは、時計バンドに限定されない。
第１のバンドと第２のバンドとを備え、これらを中留によって連結する構造のバンドであれば、本発明の中留を広く適用することができる。
【００６１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
機器ケースの一端側に取り付けられた第１のバンドと他端側に取り付けられた第２のバンドとを連結させるバンドの中留であって、
前記バンドの幅方向の外側に向けて付勢されている一対のプッシュボタンを備え、前記プッシュボタンが付勢状態のときに前記バンドの取り外しができないバンド係止状態となり、前記プッシュボタンが付勢状態に抗して押し込まれた押込状態のときに前記バンドの取り外しが可能な解除状態となるプッシュユニットと、
前記プッシュボタンを押し込むことができない第１位置と、前記プッシュボタンを完全に押し込むことのできる第２位置とをとり得る移動体と、
前記バンドの延在方向に沿って配置された複数の係止凹部と、
これら係止凹部のうちのいずれかに係止される係止凸部と、
を備え、
前記移動体が第２位置をとるときに、前記係止凸部が前記係止凹部のいずれかに係止された状態が解除されて、前記係止凸部及び前記係止凹部のいずれか一方が他方に対して相対的にバンドの延在方向に沿って移動可能となるように構成されていることを特徴とする中留。
＜請求項２＞
前記移動体は、前記プッシュボタンを前記第２位置よりも手前まで押し込むことのできる第３位置をさらに取り得るようになっており、
前記第３位置にあるときには、前記プッシュユニットは前記バンドの取り外しが可能な解除状態となり、前記係止凸部は前記係止凹部のいずれかに係止された状態が維持されるように構成されていることを特徴とする請求項１に記載の中留。
＜請求項３＞
前記移動体は、
外部に露出して外側から操作可能なレバー部と、
前記レバー部の操作に応じて変位し、前記プッシュボタンの押し込み量を規制する突当部と、
を備えていることを特徴とする請求項１又は請求項２に記載の中留。
＜請求項４＞
請求項１から請求項３のいずれか一項に記載の中留を備える時計バンドと、
前記時計バンドが取り付けられる時計ケースと、
前記時計ケースの視認側に配置される表示部と、
を備えていることを特徴とする時計。
【符号の説明】
【００６２】
１        時計バンド
４        下板
５        中板
６        カバー部材
７        プッシュユニット
８        スライド枠体
９        押込調整部材
１０      中留
７４      プッシュボタン
７５      係止凸部
９１      移動体
１００    腕時計
８２３    係止凹部
９１１    レバー部
９１３    突当部
９１４ａ  第２の突当部
【図１】
2020179245.tif 000003
【図２】
2020179245.tif 000004
【図３】
2020179245.tif 000005
【図４】
2020179245.tif 000006
【図５】
2020179245.tif 000007
【図６】
2020179245.tif 000008
【図７】
2020179245.tif 000009
【図８】
2020179245.tif 000010
【図９】
2020179245.tif 000011